(57)【特許請求の範囲】
【請求項１】
扁平直方体形状を有して石鹸が収納される箱本体と、該箱本体の正面に設けられた正面側フラップと、該箱本体の両側面に設けられたサイドフラップと、を備え、前記正面側フラップと前記サイドフラップとが前記箱本体において同一方向の端部に設けられた石鹸収納箱であって、
前記正面は、前記側面よりも大きい面積を有し、
前記正面側フラップは、該正面側フラップが折り畳まれた状態において前記箱本体の内部で前記石鹸が接触する接触面を有し、該接触面は長手方向両端から長手方向中央へ向けて水切り凹部を備え、
前記サイドフラップは、前記側面から該サイドフラップの端部に向かって略半楕円形状を有するとともにその端部には石鹸を支持するためのサポート凹部が設けられ、
さらに前記サイドフラップには、少なくとも前記サポート凹部よりも側面方向に位置して互いに対抗する２箇所の切り込み部が設けられ、
前記箱本体には、該箱本体を前記接触面と略平行方向に切断するための切断線が設けられ、
当該石鹸収納箱は、前記両サイドフラップが折り畳まれた状態において前記箱本体の内部で該サイドフラップに設けられた前記サポート凹部と前記石鹸との間に前記接触面が位置する場合には石鹸が収納される箱として機能し、
当該石鹸収納箱は、前記両サイドフラップが折り畳まれた状態において前記箱本体の内部で該サイドフラップに設けられた２箇所の切り込み部と前記接触面とが係合して前記サポート凹部と前記石鹸との間に前記接触面が位置しておらず、且つ、前記切断線により前記箱本体が切断された場合には前記接触面に石鹸が載置されるトレーとして機能することを特徴とする石鹸収納箱。
【請求項２】
請求項１に記載の石鹸収納箱であって、
当該石鹸収納箱には前記箱本体の背面に設けられた背面側フラップを備え、該背面側フラップと前記正面側フラップと前記サイドフラップとは該箱本体において同一方向の端部に設けられ、
前記背面側フラップには、前記箱本体における背面から該背面側フラップを切り離すための切り取り線が設けられ、
当該石鹸収納箱は、前記両サイドフラップが折り畳まれた状態において前記箱本体の内部で該サイドフラップに設けられた２箇所の切り込み部と前記接触面とが係合して前記サポート凹部と前記石鹸との間に前記接触面が位置しておらず、且つ、前記切り取り線により前記背面側フラップが切り取られるとともに前記切断線により前記箱本体が切断された場合には前記接触面に石鹸が載置されるトレーとして機能することを特徴とする石鹸収納箱。
【請求項３】
請求項１または請求項２に記載の石鹸収納箱であって、
前記両側面には、当該石鹸収納箱と該石鹸収納箱が載置される載置面との間に隙間をつくるための水はけ凸部が設けられていることを特徴とする石鹸収納箱。
【請求項４】
請求項２または請求項３に記載の石鹸収納箱であって、
前記箱本体における正面および背面には、当該石鹸収納箱と該石鹸収納箱が載置される載置面との間に隙間をつくるための水はけ凸部が設けられていることを特徴とする石鹸収納箱。
【発明の詳細な説明】
【技術分野】
【０００１】
本発明は石鹸収納箱、特に石鹸を収納するための箱として機能することに加えて石鹸トレーとしても機能する石鹸収納箱の改良技術に関する。
【背景技術】
【０００２】
一般的な固形石鹸は白色や単色のものが多く、それらは紙やフィルムなどの包装材で包まれて販売されている。そして昨今では固形石鹸にデザイン性を施すことで石鹸本来の役割にプラスして新たな付加価値を有するものも増えている。
【０００３】
例えば石鹸製造業者などは石鹸を透明にしたりあるいは２色以上にしたりすることで、需要者の視覚を意識した様々な工夫を行っている。これらデザイン性を有する石鹸は、従来の紙などの包装材ではなく、視覚性を重視するために石鹸一個に対して個別の収納箱（例えば透明な収納箱）に収納されて販売される場合が多い。
【０００４】
しかしながらこれらの収納箱は石鹸の専用箱として作られるものであるため、他の使用用途はほとんどなく、当該石鹸を使用する際には多くの場合処分されてしまう。一方で昨今では、この収納箱を石鹸使用時に石鹸置きや石鹸トレーとして再利用する工夫もなされている。
【０００５】
例えば特許文献１には、石鹸収納具において収納部の底面に水切り孔が設けられるとともに側壁の相対向する位置に一組の切欠き部を設け、さらに当該石鹸収納具の底板および店頭販売時の陳列板（石鹸収納具を吊るすための穴を有する板）として機能する所定の係止部材を設けることで、店頭では陳列用包装具として使用でき、且つ、石鹸を使用する際には係止部材を取り外すことで石鹸入れ（石鹸置き）としても使用できる石鹸収納具兼陳列用包装具が開示されている。
【０００６】
また、特許文献２には一枚の透明な合成樹脂シートを折り曲げて形成された石鹸用容器が開示されている。この石鹸用容器は石鹸の表面を覆うとともに中央が膨らんで形成された化粧シート、背面シート、湾曲構造を有する側面被覆シート、及び、背面シートが互いに重ね合わされる箇所で係合するように設けられた係止手段を備える。
【０００７】
そして石鹸用容器は、係止手段と化粧シートの構造により石鹸を石鹸用容器の上部に対して若干浮いたように載置することができる。そのため、石鹸用容器は浴室や洗面所等で利用することができ、該石鹸用容器が利用される際には水でぬれた石鹸の雫を下方に集めることができる。
【先行技術文献】
【特許文献】
【０００８】
【特許文献１】特開２０００−２９６０６９号公報
【特許文献２】実用新案登録第３０９５９７８号公報
【発明の概要】
【発明が解決しようとする課題】
【０００９】
ところで、一般的な石鹸は扁平形状（例えば扁平直方体形状や扁平円柱形状など）を有していることが多い。そのため、石鹸トレーに石鹸を載置する場合には当然のことながら面積が一番大きい面（扁平面）を載置することになる。例えば石鹸の扁平面ではない面を載置しようとすると一般的な石鹸トレーでは安定性を確保することができず、また、安定性を確保しようとすると石鹸トレーの構造が複雑化してしまう。さらには石鹸箱をトレーとして再利用する場合には箱自体の構造がより一層複雑化するおそれがある。
【００１０】
そして一般家庭において石鹸トレーは風呂場や洗面所などで利用されることが多い。この場合、石鹸トレーを置くためのスペースを確保しなければならない。つまり、洗面所などでは必ずしもスペースに余裕があるわけではない。
【００１１】
上記の通り特許文献１の技術を利用すれば石鹸収納具兼陳列用包装具を実現することができる。しかしながら特許文献１の石鹸収納具兼陳列用包装具では上記スペース確保の問題は解決できない。同様に特許文献２の石鹸用容器についても販売時の容器を再利用することはできるが、当該石鹸用容器は石鹸の扁平面を載置する構造であるためスペース確保の問題は解決できない。
【００１２】
本発明は上記従来技術の課題に鑑みて行われたものであって、その目的は販売時においては石鹸を収納するための収納箱として機能し、且つ、その後の簡単な組み換え作業によって省スペース化が実現できる石鹸トレー機能を有する石鹸収納箱を提供することである。
【課題を解決するための手段】
【００１３】
上記課題を解決するために、本発明に係る石鹸収納箱は、
扁平直方体形状を有して石鹸が収納される箱本体と、該箱本体の正面に設けられた正面側フラップと、該箱本体の両側面に設けられたサイドフラップと、を備え、前記正面側フラップと前記サイドフラップとが前記箱本体において同一方向の端部に設けられた石鹸収納箱であって、
前記正面は、前記側面よりも大きい面積を有し、
前記正面側フラップは、該正面側フラップが折り畳まれた状態において前記箱本体の内部で前記石鹸が接触する接触面を有し、該接触面は長手方向両端から長手方向中央へ向けて水切り凹部を備え、
前記サイドフラップは、前記側面から該サイドフラップの端部に向かって略半楕円形状を有するとともにその端部には石鹸を支持するためのサポート凹部が設けられ、
さらに前記サイドフラップには、少なくとも前記サポート凹部よりも側面方向に位置して互いに対抗する２箇所の切り込み部が設けられ、
前記箱本体には、該箱本体を前記接触面と略平行方向に切断するための切断線が設けられ、
当該石鹸収納箱は、前記両サイドフラップが折り畳まれた状態において前記箱本体の内部で該サイドフラップに設けられた前記サポート凹部と前記石鹸との間に前記接触面が位置する場合には石鹸が収納される箱として機能し、
当該石鹸収納箱は、前記両サイドフラップが折り畳まれた状態において前記箱本体の内部で該サイドフラップに設けられた２箇所の切り込み部と前記接触面とが係合して前記サポート凹部と前記石鹸との間に前記接触面が位置しておらず、且つ、前記切断線により前記箱本体が切断された場合には前記接触面に石鹸が載置されるトレーとして機能することを特徴とする。
【００１４】
また、本発明に係る石鹸収納箱において、
当該石鹸収納箱には前記箱本体の背面に設けられた背面側フラップを備え、該背面側フラップと前記正面側フラップと前記サイドフラップとは該箱本体において同一方向の端部に設けられ、
前記背面側フラップには、前記箱本体における背面から該背面側フラップを切り離すための切り取り線が設けられ、
当該石鹸収納箱は、前記両サイドフラップが折り畳まれた状態において前記箱本体の内部で該サイドフラップに設けられた２箇所の切り込み部と前記接触面とが係合して前記サポート凹部と前記石鹸との間に前記接触面が位置しておらず、且つ、前記切り取り線により前記背面側フラップが切り取られるとともに前記切断線により前記箱本体が切断された場合には前記接触面に石鹸が載置されるトレーとして機能することを特徴とする。
【００１５】
また、本発明に係る石鹸収納箱において、
前記両側面には、当該石鹸収納箱と該石鹸収納箱が載置される載置面との間に隙間をつくるための水はけ凸部が設けられていることを特徴とする。
【００１６】
また、本発明に係る石鹸収納箱において、
前記正面および背面には、当該石鹸収納箱と前記載置面との間に隙間をつくるための水はけ凸部が設けられていることを特徴とする。
【発明の効果】
【００１７】
本発明によれば、石鹸収納箱に所定形状の正面側フラップ、サイドフラップを設けることで、該サイドフラップの簡単な組み換え作業等によって当該石鹸収納箱を省スペース化が可能な石鹸トレーとして利用できる効果を奏する。
【００１８】
つまり本発明に係る石鹸収納箱では、簡単な組み換え作業によって石鹸の扁平面に対して略垂直方向に該石鹸を載置できる石鹸トレー機能が得られるとともに、さらにこの構造では所定位置（石鹸収納箱の内部において箱本体側面の隣）にサイドフラップが設けられるので石鹸の自立を補助して載置された石鹸を安定的に維持することができる。
【図面の簡単な説明】
【００１９】
【図１】本発明の実施形態に係る石鹸収納箱の概略イメージ図を示す。
【図２】本発明の実施形態に係る石鹸収納箱における箱本体の変形概略図を示す。
【図３】本発明の実施形態に係る石鹸収納箱に石けんが収納されているイメージ図を示す。
【図４】本発明の実施形態に係る正面側フラップの概略イメージ図を示す。
【図５】本発明の実施形態に係る背面側フラップの概略イメージ図を示す。
【図６】本発明の実施形態に係るサイドフラップの概略イメージ図を示す。
【図７】本発明の実施形態に係る石鹸トレーの概略イメージ図を示す。
【図８】本発明の実施形態に係る石鹸トレーに石鹸が載置されているイメージ図を示す。
【図９】本発明の実施形態に係る石鹸トレーに使用中の石鹸が載置されているイメージ図を示す。
【図１０】本発明の実施形態に係る石鹸トレーの組み立てイメージ図を示す。
【図１１】本発明の実施形態に係る石鹸収納箱の展開図を示す。
【発明を実施するための形態】
【００２０】
以下、本発明の石鹸収納箱について図面を用いて説明するが、本発明の趣旨を超えない限り何ら以下の例に限定されるものではない。
【００２１】
図１には本発明の実施形態に係る石鹸収納箱の概略イメージ図を示す。本実施形態に係る石鹸収納箱は、石鹸を収納するための収納箱として機能するとともにその後の簡単な組み換え作業によって石鹸トレーとしても機能するものである。
【００２２】
なお、本明細書では石鹸収納箱が石鹸トレーとして機能する際に当該石鹸収納箱がテーブルや洗面台などの載置面に載置される方向を下方（下方向）と表現している。また、本実施形態では、当該石鹸収納箱において蓋に相当する構成（および同等の機能を有する構成）をフラップと表現している。
【００２３】
同図に示すように本実施形態に係る石鹸収納箱１０は、石鹸が収納される箱本体２０と、該箱本体２０における正面２２の鉛直下方位置に設けられて折り畳まれた正面側フラップ３２と、該箱本体２０における背面２４の鉛直下方位置に設けられて折り畳まれた背面側フラップ３４と、該箱本体２０における右側面２６の鉛直下方位置に設けられて折り畳まれたサイドフラップ３６と、同じく左側面２８の鉛直下方位置に設けられて折り畳まれたサイドフラップ３８と、含んで構成されている。
【００２４】
つまり、本実施形態に係る石鹸収納箱１０は、正面側フラップ３２と背面側フラップ３４と両サイドフラップ３６、３８とが箱本体２０において同一方向のそれぞれの端部に設けられている。
【００２５】
また、箱本体２０は背面２４の上方位置に設けられて折り畳まれた上方背面側フラップ４４と、右側面２６の上方位置に設けられて折り畳まれた上方サイドフラップ４６と、同じく左側面２８の上方位置に設けられて折り畳まれた上方サイドフラップ４８と、を備えている（これらを合わせて上方フラップとも呼ぶ）。
【００２６】
本実施形態ではこれら上方フラップ方向から石鹸が箱本体２０へ収納される。なお、本実施形態における上方フラップは図１に示された形状に限定されず、どのような形状でも構わない。
【００２７】
また、図１では当該石鹸収納箱１０の特徴を分かりやすく説明するために、収納箱における一般的な形状等については説明を省略し、また、本発明に係る各構成は実際よりも大きく表現されている。さらに箱本体２０の内部を分かりやすくするために該箱本体２０の内部に位置する両サイドフラップ（３６、３８）は細点線で表現し、正面側フラップ３２は粗点線で表現している。
【００２８】
箱本体２０は、扁平直方体形状を有している。箱本体２０には例えば扁平直方体形状や扁平円柱形状の固形石鹸が収納される。本実施形態における箱本体２０では正面２２および背面２４の形状は略同一である。例えば、正面２２および背面２４の長手方向における大きさは６ｃｍ〜１０ｃｍ程度である。また、正面２２および背面２４の短手方向における大きさは４ｃｍ〜８ｃｍ程度である。
【００２９】
同様に右側面２６および左側面２８の形状は略同一である。例えば、右側面２６および左側面２８の長手方向における大きさは６ｃｍ〜１０ｃｍ程度である。また、右側面２６および左側面２８の短手方向における大きさは２ｃｍ〜４ｃｍ程度である。図１に示すように本実施形態における正面２２および背面２４は、右側面２６および左側面２８よりも大きい面積を有している。
【００３０】
箱本体２０には、該箱本体２０を切断するための切断線２０ａが設けられている。切断線２０ａは例えばミシン目などの加工を施したミシン線や切断しやすいように強度が調整された線である。また、図１では切断線２０ａは１本線状で表現されているが、例えば切断線２０ａを２本形成し、幅を持たせて切断しやすいようにすることもできる。
【００３１】
本実施形態では、例えば図２に示すように石鹸収納箱１０と該石鹸収納箱１０が載置される載置面との間に隙間をつくるための水はけ凸部（２２ａ、２４ａ、２６ａ、２８ａ）を設けることもできる。具体的には、正面２２の下端には水はけ凸部２２ａが設けられ、背面２４の下端には水はけ凸部２４ａが設けられている。同様に、右側面２６の下端には水はけ凸部２６ａが設けられ、左側面２８の下端には水はけ凸部２８ａが設けられている。
【００３２】
このように箱本体２０に水はけ凸部を設けることで、当該石鹸収納箱１０の視認性を向上させる効果が期待できるとともに、後述する石鹸トレー使用時には水はけを向上させることができる。また、箱本体２０に水はけ凸部があることで、石鹸収納箱１０を載置する際に該石鹸収納箱１０の上下を簡単に認識することもできる。
【００３３】
図３には、本実施形態に係る石鹸収納箱に石鹸が収納されているイメージ図を示す。
図３に示すように例えば扁平円柱形状の固形石鹸が箱本体２０に収納されている場合には、水はけ凸部により石鹸収納箱１０においてどちらの面を載置面に載置すれば良いか誰でも直感的に認識することができる。
【００３４】
図１に示された正面側フラップ３２は、該正面側フラップ３２が折り畳まれた状態において箱本体２０の内部で石鹸が接触する接触面３２ａを有する。また、接触面３２ａには長手方向両端から長手方向中央へ向けて水切り凹部３２ｂが設けられている。
【００３５】
正面側フラップ３２は折り畳まれていない状態では図４に示すように正面２２の鉛直下方位置に該正面２２に一体化するように設けられている。この形状からも分かるように接触面３２ａは箱本体２０の内部で折り畳まれた状態では該箱本体２０の下端位置から５ｍｍ〜１５ｍｍ程度空間を有して位置することになる（図１を参照）。
【００３６】
背面側フラップ３４は、折り畳まれた状態において箱本体２０の最下端に位置している。また、背面側フラップ３４には、箱本体２０における背面２４下端から該背面側フラップ３４を切り離すための切り取り線３４ａが設けられている。つまり、この背面側フラップ３４は後述する組み換え作業時に背面２４から切り離されることになる。この切り取り線３４ａは、箱本体２０が備える切断線２０ａと同様に例えばミシン目などの加工を施したミシン線や切断しやすいように強度が調整された線である。
【００３７】
背面側フラップ３４は折り畳まれていない状態では図５に示すように背面２４の鉛直下方位置に該背面２４に一体化するように設けられている。この形状からも分かるように背面側フラップ３４は折り畳まれた状態で箱本体２０において最下端に位置しているため、箱本体２０に石鹸が収納された状態でも背面側フラップ３４と石鹸とが接触することはない（図１を参照）。
【００３８】
サイドフラップ３６には、右側面２６から該サイドフラップ３６の端部に向かって略半楕円形状を有するとともにその端部にはトレー使用時において石鹸を支持するためのサポート凹部３６ａが設けられている。サポート凹部３６ａは、後述する石鹸トレー使用時において特徴的な機能を発揮することになる。またサイドフラップ３６には、少なくともサポート凹部３６ａよりも側面２６方向に位置して互いに対抗する２箇所の切り込み部３６ｂ、３６ｃが設けられている。
【００３９】
同様にサイドフラップ３８には、左側面２８から該サイドフラップ３８の端部に向かって略半楕円形状を有するとともにその端部にはサポート凹部３８ａが設けられている。またサイドフラップ３８には、少なくともサポート凹部３８ａよりも側面２８方向に位置して互いに対抗して２箇所の切り込み部３８ｂ、３８ｃが設けられている。
【００４０】
サイドフラップ３６は折り畳まれていない状態では図６に示すように右側面２６の鉛直下方位置に該右側面２６に一体化するように設けられている。同様にサイドフラップ３８は折り畳まれていない状態では左側面２８の鉛直下方位置に該左側面２６に一体化するように設けられている。
【００４１】
また、図１では両サイドフラップ３６、３８が折り畳まれた状態において重なっていない大きさで構成されているが、例えば折り畳まれた状態において両サイドフラップ３６、３８の端部が重なるように構成することもできる。
【００４２】
このように本実施形態に係る石鹸収納箱１０は、箱本体２０の鉛直下方位置にそれぞれ特徴的な形状を有する正面側フラップ２２、背面側フラップ３４、および両サイドフラップ３６、３８が設けられている。本実施形態に係る石鹸収納箱１０は概略以上のように構成されている。
【００４３】
なお、本実施形態では例えば背面側フラップ３４を有しない構造の石鹸収容箱１０であっても後述する本発明の効果（収納箱として機能するとともにその後の簡単な組み換え作業によって石鹸トレーとしても機能する効果）を得ることができる。
【００４４】
石鹸トレーについて
次に本実施形態における石鹸収納箱１０の石鹸トレー機能について説明する。上述のとおり本実施形態に係る石鹸収納箱１０は、石鹸を収納するための石鹸箱として機能することに加えて、その後の簡単な組み換え作業によって石鹸トレーとしても機能するものである。
【００４５】
図７には、本実施形態に係る石鹸トレーの概略イメージ図を示す。同図に示すように本実施形態に係る石鹸トレー１００は、箱本体２０の上部（上方フラップ側）が切断線２０ａによって接触面３２ａと略平行方向に切断されているとともに、背面側フラップ３４が切り取り線３４ａによって切り取られている。つまり、図７における箱本体２０は上端および下端がともに開口した状態となっている。
【００４６】
そして、図７に示すようにサイドフラップ３６は箱本体２０の内部において右側面２６に隣接して略直立状態で設けられ、サイドフラップ３８は箱本体２０の内部において左側面２８に隣接して略直立状態で設けられている。
【００４７】
具体的には、サイドフラップ３６を直立方向へ移動させて該サイドフラップ３６の切り込み部３６ｂ、３６ｃに接触面３２ａの一部が貫通するように（接触面３２ａが切り込み部３６ｂ、３６ｃに入り込むように）組み替える。
【００４８】
同様に、サイドフラップ３８を直立方向へ移動させて該サイドフラップ３８の切り込み部３８ｂ、３８ｃに接触面３２ａの一部が貫通するように（接触面３２ａが切り込み部３８ｂ、３８ｃに入り込むように）組み替える。
【００４９】
つまり、本実施形態ではこの簡単な組み換え作業によって切り込み部３６ｂ、３６ｃ、３８ｂ、３８ｃと接触面３２ａとを係合させているのである。本実施形態では、このような組み換え作業によって石鹸トレー１００が完成する。図７に示される石鹸トレー１００では石鹸が接触面３２ａの上方に載置されることになる。
【００５０】
本実施形態ではこのように切り込み部（３６ｂ、３６ｃ、３８ｂ、３８ｃ）と接触面３２ａとが係合することで、石鹸が接触面３２ａに載置された際の強度を確保することができる。石鹸はこのサイドフラップ３６およびサイドフラップ３８の間に載置されることになる。
【００５１】
ここで図１と図７とを比較してみると、石鹸収納箱１０は、両サイドフラップ３６、３８が折り畳まれた状態において箱本体２０の内部で該サイドフラップ３６、３８に設けられたサポート凹部３６ａ、３８ａと石鹸との間に接触面３２ａが位置する場合には石鹸が収納される箱として機能する（図１）。
【００５２】
そして石鹸収納箱１０は、両サイドフラップ３６、３８が折り畳まれた状態において箱本体２０の内部で該サイドフラップ３６、３８に設けられたそれぞれ２箇所の切り込み部（３６ｂ、３６ｃ、３８ｂ、３８ｃ）と接触面３２ａとが係合してサポート凹部３６ａ、３８ａと石鹸との間に接触面３２ａが位置しておらず、且つ、切り取り線３４ａにより背面側フラップ３４が切り取られるとともに切断線２０ａにより箱本体２０が切断された場合には接触面３２ａに石鹸が載置されるトレーとして機能するのである（図７）。
【００５３】
図８には、本実施形態に係る石鹸トレーに石鹸が載置されているイメージ図を示す。同図に示すようにサイドフラップ３６、３８の間に石鹸が位置することで、石鹸の自立を安定的に保持することができる。
【００５４】
さらに本実施形態では、サイドフラップ３６（およびサイドフラップ３８）にはサポート凹部３６ａ（およびサポート凹部３８ａ）が設けられている。このサポート凹部３６ａは、例えば使用によって石鹸の形状が変形した場合（あるいは石鹸が使用によって小さくなった場合）に当該石鹸の自立をサポートする役割を果たすことができる。
【００５５】
このサポート凹部が設けられていない場合、変形した石鹸は石鹸トレー１００の正面方向または背面方向に倒れてしまうこととなる。一方で本実施形態ではサポート凹部により、変更した石鹸をしっかりと支持するとともに該サポート凹部は当該石鹸の重心位置を中心へと導く効果も期待できる。
【００５６】
図９に示すように、本実施形態ではサイドフラップ３６、３８にサポート凹部３６ａ、３８ａを設けることで変形してしまった石鹸もしっかりと支持することができ、その結果、当該石鹸を安定的に自立させることができる。
【００５７】
次に本実施形態に係る石鹸トレーの組み立ての流れについて説明する。図１０には本実施形態に係る石けんトレーの組み立てイメージ図を示す。まず、箱本体２０（背面２４）から切断線３４ａに沿って背面側フラップ３４を切り取るとともに箱本体２０の上部を切断線２０ａに沿って切断する（図１０（ａ））。
【００５８】
そして、サイドフラップ３６、３８を直立方向に移動させて切り込み部（３６ｂ、３６ｃ、３８ｂ、３８ｃ）に接触面３２ａを差し込むことで、すなわち簡単な組み換え作業によって本実施形態に係る石鹸トレー１００が完成する（図１０（ｂ））。
【００５９】
さらに図１０（ｃ）に示すように石鹸トレー１００を上部から見ると、サイドフラップ３６、３８は石鹸の大きさに合わせて可動できる構成になっていることが分かる。つまり、石鹸トレー１００にサイドフラップを設けていない場合には石鹸は石鹸トレー１００内部で隙間を有することから動いてしまうため安定した自立が困難である一方、本実施形態ではこのサイドフラップ３６、３８（およびサポート凹部３６ａ、３８ａ）によって石鹸がしっかりと固定されるのである。
【００６０】
また、本実施形態に係る石鹸収納箱は１枚のシート材料によって製作することができる。このシート材料には例えばプラスチック材料や樹脂材料を利用することができる。図１１には本実施形態に係る石鹸収納箱の展開図を示す。同図に示すように本実施形態に係る特徴的な石鹸収納箱１０は、このような展開図を利用することで大量生産することができる。また、石鹸収納箱１０は１枚のシート材料から構成されているので、製造ロスも少なく経済的に製作することができる。
【００６１】
このように本発明によれば、石鹸収納箱１０にそれぞれ特徴的な所定形状の正面側フラップ３２、背面側フラップ３４、サイドフラップ３６、３８を設けることで、簡単な組み換え作業によって石鹸の扁平面に対して略垂直方向に該石鹸を載置できる石鹸トレー機能が得られるとともに、さらにこの構造では所定位置（石鹸収納箱の内部において箱本体側面の隣）にサイドフラップ３６、３８が設けられるので石鹸の自立を補助して石鹸を安定的に保持することができる。その結果、石鹸収納箱の再利用ととともに石鹸トレーの省スペース化を実現することができる。
【００６２】
また、本実施形態では石鹸を収納するための石鹸収納箱について説明したが、例えば図１１に示された展開図の大きさを変えることで他の用途に利用できる収納箱を得ることもできる。
【符号の説明】
【００６３】
１０        石けん収納箱
２０        箱本体
２０ａ      切断線
２２        正面
２２ａ      水はけ凸部
２４        背面
２４ａ      水はけ凸部
２６        右側面
２６ａ      水はけ凸部
２８        左側面
２８ａ      水はけ凸部
３２        正面側フラップ
３２ａ      接触面
３２ｂ      水切り凹部
３４        背面側フラップ
３４ａ      切り取り線
３６        右サイドフラップ
３６ａ      サポート凹部
３６ｂ      切り込み部
３６ｃ      切り込み部
３８        左サイドフラップ
３６ａ      サポート凹部
３６ｂ      切り込み部
３６ｃ      切り込み部
４４        上方背面側フラップ
４６        上方サイドフラップ
４８        上方サイドフラップ
１００      石鹸トレー
【要約】      （修正有）【課題】収納箱として機能することに加えて石鹸トレーとしても機能する石鹸収納箱を提供する。【解決手段】石鹸収納箱１０は、両サイドフラップ３６、３８が折り畳まれた状態において箱本体２０内部でサイドフラップ３６、３８に設けたサポート凹部３６ａ、３８ａと石鹸との間に接触面３２ａが位置する場合には石鹸が収納される箱として機能する。そして石鹸収納箱１０は、両サイドフラップ３６、３８が折り畳まれた状態において箱本体２０内部でサイドフラップ３６、３８の２箇所の切り込み部３６ｂ、３６ｃ、３８ｂ、３８ｃと接触面３２ａとが係合してサポート凹部３６ａ、３８ａと石鹸との間に接触面３２ａが位置せず、且つ、切断線２０ａにより箱本体２０が切断された場合には接触面３２ａに石鹸が載置されるトレーとして機能することを特徴とする。【選択図】図１【図１】
0006896312.tif 000002
【図２】
0006896312.tif 000003
【図３】
0006896312.tif 000004
【図４】
0006896312.tif 000005
【図５】
0006896312.tif 000006
【図６】
0006896312.tif 000007
【図７】
0006896312.tif 000008
【図８】
0006896312.tif 000009
【図９】
0006896312.tif 000010
【図１０】
0006896312.tif 000011
【図１１】
0006896312.tif 000012